(57)【要約】【課題】小さな発光体を使用するもブロックの表面全面がほぼ均等に光る発光ブロックを安価に提供する。【解決手段】中空状で且つ周壁部に凹部が形成された透光性のブロック本体と、前記周壁部に形成した貫通孔に組み付けられる発光器とが備えられ、貫通孔に組みつけられた発光器はブロック本体の内部空間内で発光し、発光器の電線は、凹部内に配線され、周壁部の表面には、発光器から発する光をブロック本体の内部空間で反射させるための光反射塗料が塗布され、またブロック本体の側壁面には、光を乱反射させるための複数の凸部が突設されている。【選択図】図５
2007205124.tif 000002
【特許請求の範囲】
【請求項１】
中空状で且つ周壁部に凹部が形成された透光性のブロック本体と、前記周壁部に形成した貫通孔に組み付けられる発光器とが備えられ、貫通孔に組みつけられた発光器はブロック本体の内部空間内で発光し、発光器の電線は、凹部内に配線され、周壁部の表面には、発光器から発する光をブロック本体の内部空間で反射させるための光反射塗料が塗布されていることを特徴とする発光ブロック。
【請求項２】
ブロック本体の側壁面には、光を乱反射させるための複数の凸部が突設されていることを特徴とする請求項１に記載の発光ブロック。
【発明の詳細な説明】
【技術分野】
【０００１】
本発明は、発光体を備えた発光ブロックに関する。
【背景技術】
【０００２】
一般に、ガラスブロックは、正面が正方形である直方体に形成された中空状のブロック本体から構成されており、このガラスブロックは、例えば建屋の壁材や床材として使用されるものである。
【０００３】
一方、特に夜間などは建屋周りが暗くなることから、建屋の外部などに照明を設ける必要がある。
【０００４】
そこで本願発明者は、建屋の壁材などして用いられるガラスブロックが透明であることに着目して、このガラスブロックを照明器具として利用できるように  光らせることを考えたのである。
【０００５】
そして、ガラスブロックを光らせる方法としては、ブロックの背面にランプなどの照明器具を配置する方法やブロックの内部にランプを組み込む方法も考えられるが、前者のものでは、ランプの設置スペースを別途確保する必要があり、後者のものでは、ブロックの内部空間に単にランプを組み込むだけでは、ブロックの表面を均等に光らせることが困難である。
【特許文献１】特開２０００−２９０９４５号
【発明の開示】
【発明が解決しようとする課題】
【０００６】
本発明は以上の実情に鑑みて開発したものであって、目的とするところは、小さな発光体を使用するもブロックの表面全面がほぼ均等に光る発光ブロックを提供することにある。
【課題を解決するための手段】
【０００７】
前記した目的を達成するために、請求項１に記載の発明は、中空状で且つ周壁部に凹部が形成された透光性のブロック本体と、前記周壁部に形成した貫通孔に組み付けられる発光器とが備えられ、貫通孔に組みつけられた発光器はブロック本体の内部空間内で発光し、発光器の電線は、凹部内に配線され、周壁部の表面には、発光器から発する光をブロック本体の内部空間で反射させるための光反射塗料が塗布されていることを特徴とするものである。
【０００８】
請求項２に記載の発明は、請求項１に記載の発光ブロックにおいて、ブロック本体の側壁面には、光を乱反射させるための複数の凸部が突設されていることを特徴とするものである。
【発明の効果】
【０００９】
請求項１に記載の発明によれば、発光器から発する光の一部がブロック本体の側壁部を直接通過すると共に、光の一部は、ブロック本体の内部空間内において光反射塗料が塗布されている周壁部で反射した後、ブロック本体の側壁部を通過して、ブロック本体外に抜け出る結果、ブロック本体の側壁部全体から光が漏れ出すこととなって、ブロック本体の側壁部全体がほぼ均等に光り、眩しすぎたり目障りになったりするようなこともないのである。
【００１０】
しかも請求項１に記載の発明によれば、既存のブロック本体の側壁部に貫通孔を開けて、この貫通孔に発光器を嵌め込むだけでよいので、製造コストを安価とすることが出来るし、またブロック本体における周壁部の凹部内に発光器の電線などを配設することが出来るので、別途配線のためのスペースを確保する必要がない。
【００１１】
請求項２に記載の発明によれば、ブロック本体の側壁面に設けた複数の凸部の作用により、請求項１に記載の発明の効果に加え、発光器から発する光の拡散をより一層確実良く行なって、ブロックの側壁面全面を効率よく均等に光らせることが出来る。
【発明を実施するための最良の形態】
【００１２】
以下、本発明の実施形態について図面を参照しながら説明する。
【００１３】
図１は実施形態の発光ブロック１を斜め上方から見た状態を示す斜視図、図２は、実施形態の発光ブロック１の正面図。図３は実施形態の発光ブロック１の平面図、図４は同要部の拡大断面図である。
【００１４】
図に示す発光ブロック１は、基本的には、図１にも示すように、正面が正方形である直方体に形成された中空状のブロック本体２と、このブロック本体２に組み付けられる発光装置３とから構成される。
【００１５】
ブロック本体２は、箱型に形成された一対のブロック分割体２ａ・２ｂを一体に組み合わせて構成されている。
【００１６】
ブロック分割体２ａ・２ｂはソーダ石灰ガラスからほぼ透明に形成されたものであって、各ブロック分割体２ａ・２ｂは、正面視正方形の側壁部２１a・２１ｂと、この側壁部２１a・２１ｂの四方周縁部を囲む４つの周壁部２２a・２２ｂとから箱型に形成されており、周壁部２２a・２２ｂは、図４にも示すように、側壁部２１a・２１ｂの四方周縁に対して若干内方に位置している。
【００１７】
また側壁部２１a・２１ｂの内面には、複数の突部２３a・２３ｂが突設され、側壁部２１a・２１ｂの外方からは、前述の複数の突部２３a・２３ｂが略花火模様となって見えるようにしている。
【００１８】
図に示す突部２３a・２３ｂの高さは約３ｍｍであって、この突部２３a・２３ｂは、突部２３a・２３ｂに対する光の入射により、光線を乱反射させる機能を備えている。
【００１９】
そして以上のブロック分割体２ａにおける周壁部２２aの遊端縁とブロック分割体２ｂにおける周壁部・２２ｂの遊端縁とを接着材により固着して、密閉された内部空間Ｓが備えられたブロック本体２を形成すると共に、このブロック本体２の四方外周縁には、周壁部周壁部２２a・２２ｂと側壁部２１a・２１ｂとで画成された浅い凹部Ｔが設けられている。
【００２０】
また、凹部Ｔの内底面及び内側面には、光反射塗料が塗布されて、後記する発光器３１の光が内部空間Ｓ内で反射するようにしている。
【００２１】
尚、光反射塗料は、拡散反射性を向上させるために、ガラスビーズが混入されたものを用いてもよい。
【００２２】
更に以上のごとく組み立てられたブロック本体２における四方周壁部２２a・２２ｂ中の一側壁には、３つの貫通孔２４が所定間隔あけて形成され、これら貫通孔２４にはそれぞれ発光装置３を構成するＬＥＤから成る発光器３１が嵌め込まれて、発光器３１のレンズ部分３１ａがブロック本体２の内部空間Ｓ内に突出している。
【００２３】
そして、これら発光器３１を直列に接続する電線３２が凹部Ｔの内底面に沿って配設された上で、シリコーン系シーリング材からなる軟質の封止材４が凹部Ｔの内底面に厚肉に塗布されて、この封止材４により発光器３１が嵌められている貫通孔２４の隙間が封止されると共に、電線３２が封止材４内に埋設されている。
【００２４】
そして封止材４の表面には、プラスチック材から形成した短冊状の保護プレート４０が貼り付けられており、この保護プレート４０は凹部Ｔ内に収まっている。
【００２５】
尚、図に示す実施形態のブロック本体２は、側壁部２１ａ・２１ｂの一辺が１９０ｍｍの正方形に形成され、正面側の側壁部２１ａと背面側の側壁部との間の外法が８０ｍｍに形成されている。
【００２６】
以上の構成から成る発光ブロック１は、例えば建屋の壁材、床材、屋根材、或いは階段の構成部材として使用されるものであり、例えば、複数の発光ブロック１を図６に示すように積み重ねて、壁材として利用する場合には、一対の側壁部２１ａ・２１ｂのそれぞれの外表面が屋内と屋外に露出することとなる。
【００２７】
そして例えば建物の壁の一部に組み込まれた発光ブロック１は、電線３２を適宜電源に接続するのであって、これにより、例えば夜間などにおいて、電線３２を介して発光器３１に通電することで、発光器３１がブロック本体２の内部空間Sで点灯するのである。
【００２８】
これに伴い、発光器３１から発する光の一部がブロック本体２の側壁部２１a・２１bを直接通過すると共に、光の一部は、ブロック本体２の内部空間S内において光反射塗料が塗布されている四方周壁部２２a・２２bで反射し、また側壁部に設けた突部２３a・２３bに対する光の入射によっても、光が内部空間S内において乱反射した後、ブロック本体２の側壁部２１a・２１bを通過して、ブロック本体２外に抜け出るのである。
【００２９】
その結果、ブロック本体２の側壁部２１a・２１b全体から光が漏れ出すこととなって、ブロック本体２の全体がほぼ均等に光り、眩しすぎたり目障りになったりするようなこともないのである。
【００３０】
以上の実施形態では、平面視正方形としたブロック本体２を用いたが、これに限定されるものではなく、例えば直角二等辺三角形としたブロック本体２にも応用できる。
【００３１】
また発光器３としては、LED以外に面状発光体を用いたものでもよい。
【００３２】
また周壁部２２a・２２bの内面は、光が乱反射可能な粗面としてもよい。
【図面の簡単な説明】
【００３３】
【図１】本発明にかかる発光ブロックの一実施形態を示す斜視図。
【図２】同、発光ブロックの正面図。
【図３】同、発光ブロックの平面図
【図４】図２におけるＡ−Ａ線断面図。
【図５】要部の拡大縦断面図。
【図６】発光ブロックの使用例を示す説明図。
【符号の説明】
【００３４】
１      発光ブロック
２      ブロック本体
２１a・２１b  側壁部
２２a・２２b  周壁部
２３a・２３b  突部
３      発光装置
３１    発光器
３２    電線
４      封止材
４０      保護プレート
S        内部空間
T        凹部
【図１】
2007205124.tif 000003
【図２】
2007205124.tif 000004
【図３】
2007205124.tif 000005
【図４】
2007205124.tif 000006
【図５】
2007205124.tif 000007
【図６】
2007205124.tif 000008